(57)【要約】【課題】防災表示装置において履歴データを有効活用し、イベントの発生回数、頻度などを容易に把握できるようにする。【解決手段】複数の端末機器と、該各端末機器を監視制御する防災受信機とを備える防災システムに接続され、表示手段を有し、前記防災受信機から前記端末機器でのイベントデータを受信し、蓄積して履歴データとする防災表示装置において、前記履歴データを集計する集計手段と、該集計手段による集計結果を前記表示手段に表示する構成とした。【選択図】　　図４
2004118776.tif 000002
【特許請求の範囲】
【請求項１】
複数の端末機器と、該各端末機器を監視制御する防災受信機とを備える防災システムに接続され、表示手段を有し、前記防災受信機から前記各端末機器のイベントデータを受信し、蓄積して履歴データとする防災表示装置において、
前記履歴データを集計する集計手段を備え、該集計手段による集計結果を前記表示手段に表示することを特徴とする防災表示装置。
【請求項２】
前記集計手段がイベントデータの種類毎に集計を行うことを特徴とする請求項１記載の防災表示装置。
【請求項３】
前記各端末機器中に汚れ補正機能を有する火災感知器があり、前記集計手段が前記火災感知器の補正レベル毎に集計を行うことを特徴とする請求項１記載の防災表示装置。
【請求項４】
イベントデータを直接入力する入力手段を有し、該入力手段から入力されたイベントデータを前記履歴データとして保存することを特徴とする請求項１記載の防災表示装置。
【請求項５】
直接入力されるイベントデータが前記端末機器の交換情報であることを特徴とする請求項４記載の防災表示装置。
【請求項６】
所定の条件を設定し、該条件に合致した履歴データを検索する検索手段を備え、該検索手段による検索結果の集計を前記集計手段が行うことを特徴とする請求項１記載の防災表示装置。
【請求項７】
前記表示手段が、前記集計手段による集計結果を表示するとともに履歴データの一覧を表示することを特徴とする請求項１ないし６記載の防災表示装置。
【請求項８】
前記表示手段が、前記集計手段で集計された集計項目毎の端末機器の個数を数値表示することを特徴とする請求項１ないし７記載の防災表示装置。
【請求項９】
前記表示手段が、前記集計手段で集計された集計項目毎の端末機器の個数をグラフ表示することを特徴とする請求項１ないし８記載の防災表示装置。
【請求項１０】
所定期間を設定する期間設定手段を備え、前記所定期間内における集計結果を報告書形式として印字出力する出力手段を備えたことを特徴とする請求項１記載の防災表示装置。
【発明の詳細な説明】
【０００１】
【発明の属する技術分野】
本発明は防災表示装置に関する。
【０００２】
【従来の技術】
火災報知設備において発生したイベント情報を表示するとともに、イベント情報をファイルとして保存する火災表示装置がある（例えば、特許文献１参照）。
また、アナログ感知器の検知レベルを示すデータを蓄積する異常表示装置がある（例えば、特許文献２参照）。
【０００３】
【特許文献１】
特開２０００−５７４６０号公報（第１頁、第２図）
【特許文献２】
特開２０００−６７３３８号公報（第１頁、第１図）
【０００４】
【発明が解決しようとする課題】
しかしながら従来の火災表示装置では、イベント情報を記憶し、その内容を一覧表示するだけであり、実際にどのようなイベントがどの程度発生したのかが容易に把握することができなかった。
【０００５】
また、特許文献２のように蓄積された検知レベルデータを長期間にわたって集計する異常表示装置も知られているが、火災レベル以外の履歴データを有効活用することができなかった。
【０００６】
そこで本発明は、防災表示装置において履歴データを有効活用し、イベントの発生回数、頻度などを容易に把握できるようにする。
【０００７】
【課題を解決するための手段】
そこで、請求項１記載の発明では、複数の端末機器と、該各端末機器を監視制御する防災受信機とを備える防災システムに接続され、表示手段を有し、前記防災受信機から前記各端末機器でのイベント発生データを受信し、蓄積して履歴データとする防災表示装置において、前記履歴データを集計する集計手段を備え、該集計手段による集計結果を前記表示手段に表示する構成とした。
また請求項２記載の発明では、請求項１記載の防災表示装置において、前記集計手段がイベントデータの種類毎に集計を行う構成とした。
【０００８】
請求項１または２記載の発明によれば、防災表示装置に備えられた集計手段による集計結果を表示手段に表示するので、イベントの発生回数、頻度などを容易に把握することができる。
【０００９】
なおここでいうイベントの種類には火災発生、異常・故障、連動機器動作、正常などがあり、端末機器の種別としては火災感知器、防排煙機器、音響装置などがあるが、これらに限られない。
【００１０】
請求項３記載の発明では、請求項１記載の防災表示装置において、前記各端末機器中に汚れ補正機能を有する火災感知器があり、前記集計手段が前記火災感知器の補正レベル毎に集計を行う構成とした。
【００１１】
請求項３記載の発明によれば、集計手段が火災感知器の補正レベル毎に集計を行うので、補正の限界が近い火災感知器がすぐに確認でき、非火災報や失報等の不都合を防ぎ、清掃や交換などの準備が予め行える。
【００１２】
請求項４記載の発明では、請求項１記載の防災表示装置において、イベントデータを直接入力する入力手段を有し、前記入力手段から入力されたイベントデータを前記履歴データとして保存する構成とし、請求項５記載の発明では、請求項４記載の防災表示装置において、直接入力されるイベントデータが端末機器の交換情報である構成とした。
【００１３】
請求項４または５記載の発明によれば、入力手段から直接入力されたイベントデータを履歴データとして保存するので、システムで自動的に認識できないイベントデータも集計することができ、特に請求項５のように直接入力されるイベントデータが端末機器の交換情報である場合、集計結果から交換頻度が分かり、ひいてはシステムの不都合箇所を見いだすことができる。
【００１４】
請求項６記載の発明では、請求項１記載の防災表示装置において、所定の条件を設定し、該条件に合致した履歴データを検索する検索手段を備え、該検索手段による検索結果の集計を前記集計手段が行う構成とした。
【００１５】
請求項６記載の発明によれば、検索結果に基づく集計が行えるので、一定の条件でのイベント発生の傾向を容易に把握できる。
【００１６】
請求項７記載の発明では、請求項１ないし６記載の防災表示装置において、前記表示手段が、前記集計手段による集計結果を表示するとともに履歴データの一覧を表示する構成とした。
【００１７】
請求項７記載の発明によれば、集計結果とともに履歴データの一覧も表示するため、さらにイベントの詳細が確認できる。また、履歴データの一覧の表示件数が多い場合には集計結果からイベント発生傾向の概略を把握することができる。
【００１８】
請求項８記載の発明では、請求項１ないし７記載の防災表示装置において、前記表示手段が、前記集計手段で集計された集計項目毎の端末機器の個数を数値表示する構成とし、請求項９記載の発明では、請求項１ないし８記載の防災表示装置において、前記表示手段が、前記集計手段で集計された集計項目毎の端末機器の個数をグラフ表示する構成とした。
【００１９】
請求項８または９記載の発明によれば、集計された端末機器の個数が数値またはグラフ表示されるので、集計結果の確認が容易である。
【００２０】
請求項１０記載の発明では、請求項１記載の防災表示装置において、所定期間を設定する期間設定手段を備え、前記所定期間内における集計結果を報告書形式として印字出力する出力手段を備えた構成とした。
【００２１】
請求項１０記載の発明によれば、所定期間（例えば１ヶ月）の集計結果に基づく報告書を容易に作成でき、今までのように点検者が報告書を作成する必要がないので、点検者や管理者の負担が減少するとともに報告内容の精度が高くなる。
【００２２】
【発明の実施の形態】
本発明における防災システムの構成を図１に示す。
防災システム１は防災表示装置２、防災受信機８、中継器９、各端末機器１０、１１、１２などからなる防災システムとして構成されている。
防災表示装置２は全体の制御を行うコントローラ３、画面表示を行うＣＲＴディスプレイ４、操作入力部であるキーボード５、マウス６、出力を行うプリンタ７から構成される。
【００２３】
防災表示装置１は防災受信機８と接続され、イベント発生時にはそれに対応した画像を表示することにより警報を行う。また防災受信機８や、防排煙機器１２などの各種被制御機器を制御することもできる。
防災受信機８は複数の中継器９と接続され、火災感知器１０やガス漏れ感知器１１からの信号に基づき火災やガス漏れの監視を行い、イベント発生時にはそれに応じた警報を表示、鳴動により行うとともに、防火戸、ダンパーなどの防排煙機器１２などの各種被制御機器を制御する。
防災受信機８に接続された中継器９には複数の火災感知器１０、ガス漏れ検知器１１、防火戸、ダンパーなどの防排煙機器１２などの端末機器が接続されている。
【００２４】
本発明の防災表示装置のブロック図を図２に示す。
防災表示装置２のコントローラ３は、全体の制御を行うＣＰＵからなる制御部２１、制御プログラムや各種設定データが記憶されているＲＡＭやハードディスクからなる記憶部２２、防災受信機８との通信を行う通信Ｉ／Ｆ２３から構成される。またＩ／Ｆ２４を介して、画面表示を行うＣＲＴディスプレイ４が、Ｉ／Ｆ２５を介してキーボード５が、Ｉ／Ｆ２６を介してマウス６が、Ｉ／Ｆ２７を介して報告書などの出力を行うプリンタ７が、それぞれ接続される。
【００２５】
ここで火災感知器１０が火災を検出したなどのイベントが発生した場合、防災受信機８はイベントに対応した処理を行うとともに防災表示装置２のコントローラ３へイベント発生信号を送出する。通信Ｉ／Ｆ２３を介してイベント発生信号を受信したコントローラ３は、制御部２１により信号処理を行い、イベント内容に関する表示をＣＲＴディスプレイ４に行うとともに、記憶部２２にイベントデータとして記憶する。このようにして蓄積されたイベントデータが履歴データ（防災情報履歴）である。
【００２６】
本発明における防災表示装置２における画面表示を説明する。電源を投入すると、初期画面として図３に示すシステムメニュー画面３１が表示される。
システムメニュー画面３１はタイトルバー３２、メニューバー３３、主ウインドウ３４から構成される。タイトルバー３２はシステムメニュー画面であることを示している。メニューバー３３の左側には各種機能を示すアイコン群が、中央には通常監視状態か保守点検状態かを示すステータス表示部、右側には日時を表すカレンダー部が設けられている。
【００２７】
アイコン群は前画面へ戻る「戻る」アイコン、次画面へ進む「進む」アイコン、画面印刷を行う「印刷」アイコン、管理モードへ移行する「管理」アイコン、防災モードへ移動する「防災」アイコン、通信状況を確認する「通信」アイコンから構成される。
ステータス表示部で表示されている状態が現在の状態で、図３では通常監視状態であることを示し、他方は網掛けとなっている。なお、現在の状態を示さない方は網掛けの他、文字を薄く表示する、または全く表示しないようにするなどして区別するようにしても良い。
【００２８】
主ウインドウ３４には履歴データの確認を行うための複数の項目が表示されている。
項目は５つの項目に分かれ、その項目毎にそれぞれ１つまたは２つの詳細内容を示すための下線が引かれた副項目が設けられている。さらに副項目は内容確認を行うためのリンクとなっており、クリックすることで当該画面が表示される。
【００２９】
項目の内、「１．防災情報履歴を確認する」とは防災システムで発生した全てのイベントに関する項目であり、リスト表示と集計が行えるようになっている。「２．防災発報履歴のグラフを確認する」とはイベントを発生した端末機器のアナログデータなどをグラフ表示する項目である。
「３．汚れ補正値を確認する」とは汚れ補正機能を有する火災感知器において補正を行った火災感知器の情報を表示する項目であり、リスト表示と集計が行えるようになっている。
「４．端末交換回数を確認する」とは端末機器の内、システム設置後に何らかの理由で交換が行われた端末機器の情報を表示する項目であり、リスト表示と集計が行えるようになっている。
「５．試験結果を確認する」とは端末機器の内、システムで行われた自動試験や保守点検の結果を表示する項目であり、自動試験または保守点検の副項目をそれぞれの試験結果がリスト表示される。
【００３０】
ここでコントローラ３に接続されたキーボード５やマウス６を用いて、リンクを操作することにより、目的とする画面が表示される。
また発生したイベントの一覧であるリスト表示、グラフ表示、試験結果表示などの各機能は本発明の趣旨とは直接関係ないため説明は省略する。
【００３１】
また端末交換を行った場合、図示しない入力画面を表示し、交換した端末機器についての情報をキーボード５やマウス６により入力し、当該情報を記憶部２２に記憶させる。こうすることにより、防災表示装置２で自動的に履歴データとして記憶できないイベントデータであっても履歴データとして記憶することができる。
【００３２】
防災情報履歴の集計を行ったときの画面を図４に示す。図３における主ウインドウ３４の「１．防災情報履歴を確認する」の項目の集計の副項目をクリックすると、図４に示す防災情報履歴画面４１が表示される。
【００３３】
防災情報履歴画面４１はタイトルバー４２、メニューバー４３、主ウインドウ４４から構成される。タイトルバー４２は防災情報履歴画面であることを示している。メニューバー４３はシステムメニュー画面３１におけるメニューバー３３と同様である。
【００３４】
主ウインドウ４４はさらにメニューウインドウ４５、検索条件設定ウインドウ４６、集計ウインドウ４７、検索結果ウインドウ４８の４つに分かれている。
メニューウインドウ４５には「メインメニューへ戻る」のメニューがあり、システムメニュー画面３１とリンクしている。
検索条件設定ウインドウ４６には期間設定部、検索開始ボタン、報告書作成ボタンが設けられている。期間設定部はさらに日付指定と期間指定の２つのラジオボタンを備え、どちらか一方で検索期間の設定が行える。日付または期間の設定はプルダウン形式となっている。検索開始ボタンは期間設定部で設定した期間の防災情報履歴の検索を行うためのボタンであり、検索条件を設定後、検索開始ボタンを押すと後述する検索結果ウインドウ４８に検索結果の一覧が表示される。報告書作成ボタンは期間設定部で設定した期間の後述する報告書を作成するためのボタンである。
【００３５】
集計ウインドウ４７は防災情報履歴の現状評価の集計結果を表示するウインドウである。集計結果はイベントの種類毎、ここでは「火災」「ガス漏れ」「防排煙」「故障・異常」「その他」の発生件数が、棒グラフとともに表示される。なお「その他」とは、上記４つ以外に属するイベントの総称である。
検索結果ウインドウ４８は検索開始ボタンによる検索結果の一覧を表示するウインドウであり、一覧の内５件分の結果が表示されている。検索結果ウインドウ４８に表示されていない結果はスクロールボタンを操作することにより表示することができる。
【００３６】
集計処理を行う際には、コントローラ３では次のような処理が行われている。防災情報履歴の集計を行うため「１．防災情報履歴を確認する」の集計の副項目がマウス６により操作されると、Ｉ／Ｆ２６を介して操作信号を制御部２１が受信する。制御部２１は記憶部２２から全履歴データを読み出し、集計を行う。その集計結果がＩ／Ｆ２４を介してＣＲＴディスプレイ４に送出され、防災情報履歴画面４１の集計ウインドウ４７に表示される。またそれと同時に検索結果ウインドウ４８に集計結果に対応する履歴データの一覧を表示する。
また初期状態では、集計ウインドウ４７に表示される集計や検索結果ウインドウ４８に表示される一覧は記憶部２２に記憶されている全ての履歴データとなっているが、必ずしも全件集計に限らず、例えば過去１日分、１週間分の履歴データの集計が表示されるようにしても良い。
【００３７】
防災情報履歴画面４１において検索を行ったときの画面を図５に示す。検索条件設定ウインドウ４６において期間指定を１ヶ月とした検索条件を設定し、検索開始ボタンをクリックすると、図５に示す防災情報履歴画面５１が表示される。なお、図４と比較して相違する点のみ説明を行う。
【００３８】
集計ウインドウ４７ａには、検索条件と合致した防災情報履歴の集計が発生件数およびグラフにより表示される。また検索結果ウインドウ４８ａには、検索条件と合致した履歴データの一覧が表示される。
検索を行った場合にはその条件を満たした集計結果が集計ウインドウ４７ａに表示され、またその集計結果に対応する履歴データの一覧が検索結果ウインドウ４８ａに表示される。
そのため集計結果からイベント発生状況の概略が把握できるとともに、一覧からイベント発生状況の詳細を確認することができる。
【００３９】
ここで日付指定による検索時において、上部の日付指定欄に年のみ指定すると１月１日（年の最初の日付）が、下部の日付指定欄に年のみ指定すると１２月３１日（年の最後の日付）が自動的に設定される。ただ下部の日付欄の場合、現在の日付が自動設定されるようにしても良い。
さらに一覧における地区の欄の数字（例えばＮｏ．１の１０）をクリックすることにより、地区１０に係わるイベントのみが一覧表示されるようになっている。また棟、階、イベントの欄でも同様である。すなわち棟、階、地区、イベントの件数における各項目をクリックすることにより、クリックされた項目に関する絞り込みが行われるようになっている。
【００４０】
汚れ補正値の集計を行ったときの画面を図６に示す。図３における主ウインドウ３４の「３．汚れ補正値を確認する」の項目の集計の副項目をクリックすると、汚れ補正値画面５１が表示される。
汚れ補正値画面５１はタイトルバー５２、メニューバー５３、主ウインドウ５４から構成される。タイトルバー５２は汚れ補正値画面であることを示している。メニューバー５３はシステムメニュー画面３１におけるメニューバー３３と同様である。
【００４１】
主ウインドウ５４はさらにメニューウインドウ５５、検索条件設定ウインドウ５６、集計ウインドウ５７、検索結果ウインドウ５８の４つに分かれている。
メニューウインドウ５５にはシステムメニュー画面３１とリンクしている「メインメニューへ戻る」と、防災情報履歴画面４１とリンクしている「防災情報履歴」のメニューがあり、それぞれリンクをクリックすることにより当該画面が表示される。
検索条件設定ウインドウ５６には場所設定部、検索開始ボタンが設けられている。場所設定部は棟、階、地区の場所の設定が行えるようになっており、棟、階、地区のそれぞれをプルダウンメニューから選択するようになっている。
検索開始ボタンは場所設定部で設定した場所における汚れ補正を行った火災感知器に関する検索を行うためのボタンであり、検索条件を設定後、検索開始ボタンを押すと後述する検索結果ウインドウ５８に検索結果が表示される。
【００４２】
集計ウインドウ５７は汚れ補正値の現状評価の集計結果が表示されるウインドウである。集計結果は補正値毎、ここでは「補正＋＋」「補正＋」「正常」「補正−」「補正−−」の補正値の範囲にある感知器の個数が、棒グラフとともに表示される。
検索結果ウインドウ５８は検索開始ボタンによる検索結果の一覧を表示するウインドウであり、一覧の内５件分の結果が表示されている。検索結果ウインドウ５８に表示されていない結果はスクロールボタンを操作することにより表示することができる。
なお、汚れ補正値画面５１においても、検索を行った際には集計結果と検索結果一覧が表示される。
【００４３】
集計処理を行う際には、コントローラ３では次のような処理が行われている。汚れ補正の履歴の集計を行うため「３．汚れ補正値を確認する」の集計の副項目がマウス６により操作されると、Ｉ／Ｆ２６を介して操作信号を制御部２１が受信する。制御部２１は記憶部２２から汚れ補正履歴データを読み出し、集計を行う。その集計結果がＩ／Ｆ２４を介してＣＲＴディスプレイ４に送出され、汚れ補正値画面５１の集計ウインドウ５７に表示される。またそれと同時に検索結果ウインドウ５８に集計結果に対応する履歴データの一覧を表示する。
【００４４】
端末交換回数の集計を行ったとき画面を図７に示す。図３における主ウインドウ３４の「４．端末交換回数を確認する」の項目の集計の副項目をクリックすると、端末交換回数画面６１が表示される。
【００４５】
端末交換回数画面６１はタイトルバー６２、メニューバー６３、主ウインドウ６４から構成される。タイトルバー６２は端末交換回数画面であることを示している。メニューバー６３はシステムメニュー画面３１におけるメニューバー３３と同様である。
【００４６】
主ウインドウ６４はさらにメニューウインドウ６５、検索条件設定ウインドウ６６、集計ウインドウ６７、検索結果ウインドウ６８の４つに分かれている。
メニューウインドウ６５は、汚れ補正値画面５１におけるメニューウインドウ５５と同様である。
検索条件設定ウインドウ６６には場所設定部、検索開始ボタンが設けられている。場所設定部は棟、階、地区の場所の設定が行えるようになっており、棟、階、地区のそれぞれをプルダウンメニューから選択するようになっている。
検索開始ボタンは場所設定部で設定した場所における交換した端末機器に関する検索を行うためのボタンであり、検索条件を設定後、検索開始ボタンを押すと後述する検索結果ウインドウ６８に検索結果が表示される。
【００４７】
集計ウインドウ６７は端末交換回数の現状評価の集計結果が表示されるウインドウである。集計結果は交換回数毎、ここでは「１回」「２回」「３回以上」交換を行った端末機器の個数が、棒グラフとともに表示される。
検索結果ウインドウ６８は検索開始ボタンによる検索の結果を表示するウインドウであり、２件の検索結果が表示されている。表示されている交換履歴データの一覧が検索結果ウインドウ６８内で表示可能な場合、スクロールバーは表示されない。
なお、端末交換回数画面６１においても、検索を行った際には集計結果と検索結果一覧が表示される。
【００４８】
集計処理を行う際には、コントローラ３では次のような処理が行われている。端末交換回数の履歴の集計を行うため「４．端末交換回数を確認する」の集計の副項目がマウス６により操作されると、Ｉ／Ｆ２６を介して操作信号を制御部２１が受信する。制御部２１は記憶部２２から端末交換回数の履歴データを読み出し、集計を行う。その集計結果がＩ／Ｆ２４を介してＣＲＴディスプレイ４に送出され、端末交換回数画面６１の集計ウインドウ６７に表示される。またそれと同時に検索結果ウインドウ６８に集計結果に対応する履歴データの一覧を表示する。
【００４９】
報告書の出力を行ったときに出力される報告書を図８に示す。
図４に示す防災発報履歴画面４１の検索条件ウインドウ４６で予め期間（例えば一ヶ月）を設定し、報告書作成ボタンをクリックすることにより報告書７１を作成することができる。
【００５０】
報告書作成ボタンがマウス６により操作されると、Ｉ／Ｆ２６を介して操作信号を制御部２１が受信する。制御部２１は記憶部２２から設定された所定期間の履歴データを読み出し、集計を行う。その集計結果がＩ／Ｆ２７を介してプリンタ７から報告書７１として印字出力される。
【００５１】
報告書７１にはタイトル、物件や点検者に関する基本情報、警報件数表、イベント件数表、感度補正件数表、汚れ状態件数表、自動試験結果表が示されているが、記載される内容はこの内容に限られない。また報告書７１を作成する際、報告書作成ボタンの操作により報告書７１を作成するようにしているが、予め所定の期間などの条件を設定しておき、条件を満たしたときに自動的に作成するようにしても良い。
【００５２】
本発明ではシステムメニュー画面３１の集計の副項目がマウス６などによりクリックされると、制御部２１が記憶部２２に記憶された履歴データの集計を行い、ＣＲＴディスプレイ４に表示される防災情報履歴集計画面４１（汚れ補正値画面５１、端末交換回数画面６１）の集計ウインドウ４７（５７、６７）に集計結果を表示する。つまり制御部２１、記憶部２２が集計手段、集計ウインドウ４７（５７、６７）が表示手段、キーボード５、マウス６が入力手段である。
【００５３】
また検索条件設定ウインドウ４６により所定の条件の設定を行い、検索開始ボタンがマウス６などによりクリックされると、制御部２１が記憶部２２に記憶された履歴データの検索および集計を行い、検索結果の集計を集計ウインドウ４７ａに表示するとともに検索結果の一覧を検索結果ウインドウ４８ａに表示する。つまり制御部２１、記憶部２２、検索条件設定ウインドウ４６が検索手段、集計ウインドウ４７ａ、検索結果ウインドウ４８ａが表示手段である。
【００５４】
さらに検索条件設定ウインドウ４６により所定の期間の設定を行い、報告書７１を作成し、プリンタ６から印字出力する。つまり検索条件設定ウインドウ４６が期間設定手段、プリンタ６が出力手段である。
【００５５】
【発明の効果】
請求項１または２記載の発明によれば、防災表示装置に備えられた集計手段による集計結果を表示手段に表示するので、イベントの発生回数、頻度などを容易に把握することができる。
【００５６】
請求項３記載の発明によれば、集計手段が火災感知器の補正レベル毎に集計を行うので、補正の限界が近い火災感知器がすぐに確認でき、非火災報や失報等の不都合を防ぎ、清掃や交換などの準備が予め行える。
【００５７】
請求項４または５記載の発明によれば、入力手段から直接入力されたイベントデータを履歴データとして保存するので、システムで自動的に認識できないイベントデータも集計することができ、特に請求項５のように直接入力されるイベントデータが端末機器の交換情報である場合、集計結果から交換頻度が分かり、ひいてはシステムの不都合箇所を見いだすことができる。
【００５８】
請求項６記載の発明によれば、検索結果に基づく集計が行えるので、一定の条件でのイベント発生の傾向を容易に把握できる。
【００５９】
請求項７記載の発明によれば、集計結果とともに履歴データの一覧も表示するため、さらにイベントの詳細が確認できる。また、履歴データの一覧の表示件数が多い場合には集計結果からイベント発生傾向の把握することができる。
【００６０】
請求項８または９記載の発明によれば、集計された端末機器の個数が数値またはグラフ表示されるので、集計結果の確認が容易である。
【００６１】
請求項１０記載の発明によれば、所定期間（例えば１ヶ月）の集計結果に基づく報告書を容易に作成でき、今までのように点検者が報告書を作成する必要がないので、点検者や管理者の負担が減少するとともに報告内容の精度が高くなる。
【図面の簡単な説明】
【図１】本発明における防災システムを示すブロック図である。
【図２】図１における防災表示装置のブロック図である。
【図３】システムメニュー画面を示す図である。
【図４】防災情報履歴画面を示す図である。
【図５】検索を行った際の防災情報履歴画面を示す図である。
【図６】汚れ補正値画面を示す図である。
【図７】端末交換回数画面を示す図である。
【図８】報告書の一例を示す図である。
【符号の説明】
１　　　防災システム
２　　　防災表示装置
３　　　コントローラ
４　　　ＣＲＴディスプレイ
５　　　キーボード
６　　　マウス
７　　　プリンタ
８　　　防災受信機
１０　　火災感知器
２１　　制御部
２２　　記憶部
３１　　システムメニュー画面
３４　　主ウインドウ
４１　　防災情報履歴画面
４４　　主ウインドウ
４６　　検索条件設定ウインドウ
４７、４７ａ　集計ウインドウ
４８、４８ａ　検索結果ウインドウ
５１　　汚れ補正値画面
５４　　主ウインドウ
５７　　集計ウインドウ
６１　　端末交換回数画面
６４　　主ウインドウ
６７　　集計ウインドウ
【図１】
2004118776.tif 000003
【図２】
2004118776.tif 000004
【図３】
2004118776.tif 000005
【図４】
2004118776.tif 000006
【図５】
2004118776.tif 000007
【図６】
2004118776.tif 000008
【図７】
2004118776.tif 000009
【図８】
2004118776.tif 000010